(57)【要約】  本発明は、液体と脱水された物質、例えば、食用品とを収容し、前記物質が再水和のために所定の時点で混合されることができる装置、特に携帯装置に関する。この装置は、再水和された物質を使用するための手段を含む。この方法は、前記物質と前記液体とを混合すると同時に、再水和された液体物質の使用手段を準備するようにする、前記装置の動作ステップに存する。前記装置、及び、方法は、特に日常の外出中の使用に適している。
2020533106.tif 000002
【特許請求の範囲】
【請求項１】
開口（１１５）を有する液体容器（１１０）、
前記開口（１１５）を閉鎖するための閉鎖手段（１４０）、
脱水された物質（１３２）を収容するための収容手段（１３５）、及び、
脱水された物質と混合された液体を分注するための分配手段（１３０）、
を含む装置（１００）において、
前記収容手段（１３５）は、開口ベース部の反対側に狭い端部を有するフレア状のキャビティ（１３５）を備え、前記開口ベース部が取り外し可能又は穿孔可能なカバー（１３９）で閉じられ、
前記分注手段（１３０）は、前記収容手段（１３５）からなり、前記狭い端部（１３５）は、端部開口手段（１３５Ｆ）を有し、
前記収容手段（１３５）は、前記開口（１１５）に回転手段（１２０）によって接続されており、前記回転手段は、前記収容手段（１３５）を前記開口（１１５）の一方側から他方側へ回転するように形成されており、
前記閉鎖手段は、上側の境界が取り外し可能又は穿孔可能なカバー（１４１）によって閉鎖され、下側の境界が開放された、実質的に周囲が閉じた壁（１４４）を有し、
閉鎖要素（１３８）が前記液体容器（１１０）の前記開口（１１５）の周りに取り付けられ、前記閉鎖要素（１３８）は開いた下側の境界側で前記壁（１４４）に接続されるように構成されていることを特徴とする装置。
【請求項２】
前記収容手段（１３５）は哺乳瓶のニップルを含む、又は、哺乳瓶のニップルからなる請求項１に記載の装置。
【請求項３】
前記狭い端部は、前記哺乳瓶ニップルの吸引チップであり、前記端部開口手段（１３５Ｆ）は、手による圧力によって開くプレカットホールを有する請求項２に記載の装置。
【請求項４】
前記閉鎖要素が、前記閉鎖手段（１４０）の壁（１４４）のねじ山（１４２）と係合する閉鎖要素（１３８）のねじ山（１３７）を有する請求項１から請求項３のいずれか１項に記載の装置。
【請求項５】
前記フレア状のキャビティ（１３５）の前記開口ベースは、前記フレア状のキャビティが回転して前記液体容器（１１０）の外側に出たときに、前記閉鎖要素（１３８）のねじ山（１３７）の上に折りたたみ可能なフラップ（１３６）を有する請求項４に記載の装置。
【請求項６】
前記回転手段（１２０）は、前記開口（１１５）の２つの直径方向に対向する点（１２３，１２４）に回転可能にはめられたリング（１２１）を含む請求項１から請求項５のいずれか１項に記載の装置。
【請求項７】
前記リング（１２１）は、軸（１２２）が前記開口（１１５）を横切った状態で回転可能にはめられている請求項６に記載の装置。
【請求項８】
前記取り外し可能又は穿孔可能なカバー（１３９）及び／又は、前記取り外し可能又は穿孔可能なカバー（１４１）は、これらを手動で除去するための把持手段（１３３，１４３）をそれぞれ備える請求項１から請求項７のいずれか１項に記載の装置。
【請求項９】
前記液体容器（１１０）は、テトラパック（登録商標）で形成されている容器である請求項１から請求項８のいずれか１項に記載の装置。
【請求項１０】
請求項１から９のいずれか１項に記載の装置（１００）を用いる、脱水された物質（１３２）の再水和のための方法であって、
Ａ． 前記収容手段（１３５）が前記液体容器（１１０）の内部に入れられると共に上記閉鎖手段の壁（１４４）が前記閉鎖要素（１３８）に結合された前記装置（１００）を用意するステップと、
Ｂ．前記閉鎖要素（１３８）から前記壁（１１４）を分離するステップと、
Ｃ．前記取り外し可能又は穿孔可能なカバー（１３９）を取り外し、又は、穿孔するステップと、
Ｄ．前記収容手段（１３５）を前記液体容器（１１０）の外側に出すように、前記収容手段（１３５）を回転させるステップと、
Ｅ．前記取り外し可能又は穿孔可能なカバー（１４１）を取り外し、又は、穿孔するステップと、
Ｆ．前記壁（１４４）を再び前記閉鎖要素（１３８）に結合するステップと、
Ｇ．前記端部開口手段（１３５Ｆ）によって、前記狭い端部（１３５）を開口するステップと、
を含むことを特徴とする方法。
【請求項１１】
請求項１０に記載の方法において、ステップＤとステップＦとの間に、
Ｈ．フラップ（１３６）を前記閉鎖要素の上に折りたたむステップ
を実行する、方法。
【発明の詳細な説明】
【技術分野】
【０００１】
本発明は、脱水された液体物質の再水和及び利用のための装置及び方法に関する。
【０００２】
より正確には、本発明は、液体と脱水された物質、例えば、食用品とを収容し、前記物質が再水和のために所定の時点で混合されることができる装置、例えば、携帯装置に関する。前記装置は、再水和物質の利用（分注）のための利用（分注）手段を含む。この方法は、前記物質と前記液体とを混合すると同時に再水和された液体物質の使用手段を準備するようにする、前記装置の動作ステップに存する。前記装置、及び、方法は、特に日常の外出中の使用に適している。
【背景技術】
【０００３】
脱水（乾燥）は、生鮮食品を保存する通常の方法である。例えば、粉末ミルクを作るために液体ミルクを脱水することによって、液体ミルクの貯蔵寿命は、数週間から数か月に延びる。脱水された物質（以下、脱水物質とも言う。）は、特に、冷凍が不可能な時に有効である。脱水された物質は、室温貯蔵可能だからである。当然、脱水された食品（乾燥食品）は、液体と混合されることによって、再水和されると、再水和された食用品の貯蔵寿命は、一般的に、生鮮食品が製造されてからの貯蔵寿命と同等かそれ以下である。したがって、水和工程は、脱水物質と液体とが混合されるまで、すなわち、消費する直前まで延期されるべきである。
【０００４】
２つの物質を混合して再水和された食用品を得ることが決定される時点まで、水と脱水物質とを分離して収納するための別々のコンパートメントを含む装置が知られている。一例は、哺乳瓶であって、ＵＳ５６７８７０９に記載されている。この特許文献の図４が本明細書の図１に示されている。
【０００５】
図１の哺乳瓶は、典型的な構成であることに留意されたい。哺乳瓶は、ボトル２１０とこのボトルに中間部材を介して接続されたニップルセット２０５とを備える。中間部材は、中空球状容器２２３を含む。リング２５０を緩めることで、中空球状容器２２３は、この中空球状容器の開口部がボトル２１０の上側開口部の位置に一致するまで回転可能とされている。粉ミルクがボトルに落ちて水と混ざり、リング２５０を閉じることによって、消費される用意ができたミルクの入った哺乳瓶が得られる。
【０００６】
しかしながら、この装置は多くの欠点を有する。
【０００７】
まず第１に、輸送問題がある。なぜならば、哺乳瓶は効率的な保管のために別の直方体容器内に配置されなければならないからである。
【０００８】
第２に、前記特許文献で説明されているコネクター２５０及びその他の構成部品は、高価で重い性質で、その重量が食品内容物の重量に加わる。
【０００９】
第３に、使用されるそれらの構成部品及び材料は、製品のコストを増大させる。コストの増大は、マスマーケティングを妨げる程である。例えば、従来のボトルにはテトラパック（登録商標）が使用できず、その代わりにプラスチックが提案されている。
【発明の目的及び対象】
【００１０】
本発明の目的は、前述の課題を解決し、先行技術の不利益を克服する、再水和して消費する流体食用品用の携帯装置、特に、ニップルを備えた携帯装置を提供することである。
【００１１】
本発明の対象は、添付のクレームに従った装置である。クレームは、本明細書の不可欠な部分を構成する。
【図面の簡単な説明】
【００１２】
本発明は、実施形態によって説明されるが、実施形態に限定されるものではない。本発明の実施形態は、特に、添付図面の図を参照して説明される。
【図１】従来技術による哺乳瓶を示す図である。
【図２】本発明の実施形態における第１の動作状態を示す図である。
【図３】図２の実施形態における第２の動作状態を示す図である。
【図４】図２の実施形態における第３の動作状態を示す図である。
【図５】図２の実施形態における第４の動作状態を示す図である。
【図６】図２の実施形態における第５の動作状態を示す図である。
【図７】図２の実施形態における第６、及び、最終の動作状態を示す図である。
【図８】使用位置における前図のニップルの詳細を示す図である。
【発明を実施するための形態】
【００１３】
記載されている内容から当業者は問題なく理解できるように、本発明の技術的思想を尊重した上で、異なる実施形態の複数の要素を組み合わせて、制限なく、さらなる態様を提供してもよいことを、ここで明記しておく。
【００１４】
本説明はまた、記載されていない細部の特徴、例えば、同じ種類の解決策において先行技術で通常用いられるあまり重要でない要素などに関しては、実施について先行技術を参照する。
【００１５】
一つの要素を説明するとき、その要素が”少なくとも一つ”、又は、”一つ以上”であることを常に意味する。
【００１６】
本明細書において複数の要素、又は、複数の特徴のリストを記載するとき、本発明の解決策は、このような複数の要素「を含む、備える」又は、代替えとして、「で構成される」を意味する。
【００１７】
以下において、「物質」とは、単一の純粋な要素、又は、混合物、化合物を意味する。「液体」とは、純粋な液体、特に水、又は、溶液を意味する。
【００１８】
図２を参照すると、第１の動作状態において、本発明の装置１００は、例えば、古典的なテトラパック（登録商標）ミルク容器のように直方体の液体容器１１０を備え、該液体容器１１０にはキャップ又はストッパ１４０が固定手段によって接続される。キャップ１４０は、前記容器１１０の開口１１５を様々な形態で閉鎖している。例えば、開口の周辺に閉鎖空間を形成する。開口は、円形状が都合がよいが、四角や他の形状であってもよい。
【００１９】
液体容器の形状は、どのような形状でもよく、平面壁、又は、曲面壁を備えてもよい。液体は、水又は、脱水された食用物質を再水和するのに適した他の溶液であってもよい。
【００２０】
キャップ１４０は、利用手段１３０が挿入された容器１１０の開口を閉じる。利用手段１３０は、一旦、容器１１０から取り出されると共に、容器１１０に適切に再接続されることで、再水和された物質の使用に役立つ。
【００２１】
特に、しかし限定されるものではないが、利用手段１３０は、先端１３１を備えたニップル１３５を含む。ニップル内には、粉１３２が配置されている。粉１３２は、脱水された物質や食品を構成する。本明細書に記載されたニップルの例に関して説明したのと同様な発明思想を備えたものであれば、ニップルに代えて、例えば、大人用の吸引手段、又は、再水和された液体の注入用手段として提供することができる。当業者は、使用のための多くの種類の技術的可能性に対してそれをどのように適用するか理解できる。
【００２２】
前記ニップルは、概してフレア形状のキャビティであり、本発明によれば、ベース部（幅広の）に円形の端部、特に湾曲した端部１３６を有する外形を有している。これは、以下の明細書に記載しているように、使用時の動作位置に固定するのに有用である。
【００２３】
前記ベース部は、開口１１５と同様に、円形状でなくてもよい。
【００２４】
ニップルの外形１３５，１３６は、例えば、湾曲部１３６の曲げられた部分が接着されることで、液体容器における除去可能な、又は、穿孔可能なベース部１３９に固定されている。把持手段１３３が、例えば、小穴を構成する糸の形態で、除去可能な、又は、穿孔可能なベース１３９に接続されていてもよい。手で把持手段１３３を引くことによって、図３及び図４に示すように、ディスク１３９は引きはがされる。
【００２５】
液体容器１１０の壁１１１の他側部には、クロージング要素１３８が固定されている。クロージング要素１３８は、開口１１５をほぼ全周囲っている。本発明の一態様によれば、クロージング要素１３８は壁、好ましくは円筒形状の壁で、ベースが開口され、容器の壁１１１と実質的に直角をなしている。この壁部１３８には、図３に示すように、ねじ山１３７が設けられている。
【００２６】
図２及び図３を参照すると、本発明に係る装置は、装置１００を構成する閉じるための手段、例えば、円形キャップ１４０によって完成される。円形キャップ１４０は、雌ねじ１４２を有する。雌ねじ１４２は、壁部１３８のねじ山１３７に対応している。これにより、キャップ１４０は壁部１３８にねじ込まれる。装置１００は、図２の閉じられた形状において、効率の良い貯蔵や運搬に適している。装置は、成型プラスチックとは異なる材料で作られてもよく、例えば、テトラパック（登録商標）製である。
【００２７】
図３はベース部１３９の除去を示し、一方、図４はニップル１３５を回転させて、それを容器１１０から外側に出すことを示す。この目的のために、本発明における装置は、回転手段１２０を備える。回転手段は、上記開口１１５のエッジ部で、容器１１０に固定されている。例えば、回転手段１２０は、ニップルのベース部に固定されたリング１２１で構成され、リング１２１は、固定軸１２２周りに回転可能である。固定軸１２２は、容器１１０の前述の開口を直径方向に横断している。直径方向に対向する少なくとも２つピンが開口に接続されている場合には、固定軸はなくてもよい。
【００２８】
図５では、ニップルは容器１１０の外側に位置し、乾燥した（脱水された）内容物１３２が容器１１０の中に落下し、再水和される。（ｃ）に示すように、キャップ１４０は、引き裂き可能な、又は、剥離可能な、又は、穿孔可能な円形の表面１４１を備え、任意に把持手段１４３を備える。剥離可能な表面１４１は、装置１００の閉鎖状態において、装置自体をさらに閉鎖する。ニップル１３５が、外側に向けて回転する際に、表面部１４１は取り除かれる（穿孔される）必要がある。それは、ニップル１３５が、キャップ１４０の内側を通過するのを可能とするためである。キャップ１４０は、クロージング要素１３８の外壁部にねじ込まれる。このようにして、キャップはニップル１３５の留め具となる。
【００２９】
ニップル１３５を固定して保持する位置決めをより確実にするために、カーブした端部１３６は、ねじ山１３７の上に折りたたまれることができて、表面部１４１が取り除かれたキャップ１４０を回すことでロックされる。
【００３０】
最後に、図８を参照すると、一旦ニップル１３５が固定されてしまうと、わずかな圧力でプレカット孔１３５Ｆが空けられる。この時点で、再水和された内容物は使用可能となる。
【００３１】
このようにして、実際の哺乳瓶が、そして、最も一般的な形態では利用手段が接続された、再水和された液体の容器が、得られる。
【００３２】
この装置は、携帯可能であり、日常、旅行、又は、路上であっても使用可能であって、上述のステップに従って、閉鎖状態から利用状態に進めることができると理解される。
【００３３】
再水和物質が食用品である実施形態を説明してきたが、当業者が努力なしに提供し得る手段である注ぎ口等の利用手段と関連する非食用品を得ることも考えられる。
【００３４】
本発明に係る装置は、幾つかの効果を有する。
【００３５】
第１に、閉鎖状態では、略直方体の形状を有しているので、貯蔵及び運搬に適している。
【００３６】
第２に、非常に単純な構造で、重くならない。
【００３７】
第３に、成型プラスチックとは異なる、テトラパック（登録商標）のような食品用素材を使用できる。
【００３８】
これらと他の利点はマスマーケティングを可能にする。
【００３９】
これらの利点は、特に、前述の特許文献ＵＳ５６７８７０９の装置に対して記載されている。この文献においては、粉末状物質の容器が使用手段から分離されていることが明確である。
【００４０】
さらに、本発明の装置及び方法によれば、幼児に投与すべきミルクの一回分を間違えることがない。その間違いは、時々、下痢等の腸の問題を引き起こす。実際、粉の含有量は、予め定められている。
【００４１】
本発明の好ましい実施形態と、とり得るバリエーションを上記に示したが、添付の請求項に定義されているように、保護範囲から外れることなく、当業者は改良や変更ができることは理解されなければならない。
【図１】
2020533106.tif 000003
【図２（ａ）】
2020533106.tif 000004
【図２（ｂ）】
2020533106.tif 000005
【図３（ａ）】
2020533106.tif 000006
【図３（ｂ）】
2020533106.tif 000007
【図４】
2020533106.tif 000008
【図５（ａ）】
2020533106.tif 000009
【図５（ｂ）】
2020533106.tif 000010
【図５（ｃ）】
2020533106.tif 000011
【図６（ａ）】
2020533106.tif 000012
【図６（ｂ）】
2020533106.tif 000013
【図７（ａ）】
2020533106.tif 000014
【図７（ｂ）】
2020533106.tif 000015
【図８】
2020533106.tif 000016
【国際調査報告】
2020533106.tif 000017
2020533106.tif 000018